(57)【要約】【課題】ＡＧＣアンプのゲイン特性の温度補正による誤差を低減でき、安定した温度補正ができるＡＧＣ回路を提供する。【解決手段】直列状態で配列された複数のＡＧＣアンプ12,13を備え、これら複数のＡＧＣアンプ12,13の各ゲインを、共通のＡＧＣ電圧により並列に制御するＡＧＣ回路11において、ＡＧＣ電圧に対する複数のＡＧＣアンプ12,13からの出力特性がリニアとなるように、ＡＧＣ電圧を補正するリニアリティ補正回路14を設ける。【選択図】図２
2010081568.tif 000002
【特許請求の範囲】
【請求項１】
直列状態で配列された複数のＡＧＣアンプを備え、これら複数のＡＧＣアンプの各ゲインを、共通のＡＧＣ電圧により並列に制御するＡＧＣ回路において、
前記ＡＧＣ電圧に対する前記複数のＡＧＣアンプからの出力特性がリニアとなるように、前記ＡＧＣ電圧を補正するリニアリティ補正回路を設けた、ことを特徴とするＡＧＣ回路。
【請求項２】
前記リニアリティ補正回路を、前記ＡＧＣ電圧を前記複数のＡＧＣアンプに並列に供給する入力段に挿入したことを特徴とする請求項１に記載のＡＧＣ回路。
【請求項３】
前記リニアリティ補正回路を、所定のＡＧＣアンプへの前記ＡＧＣ電圧の入力段に挿入したことを特徴とする請求項１に記載のＡＧＣ回路。
【請求項４】
前記リニアリティ補正回路は、前記ＡＧＣ電圧を補正する可変抵抗を有することを特徴とする請求項１乃至３のいずれか一項に記載のＡＧＣ回路。
【請求項５】
直列状態で配列された複数のＡＧＣアンプを備え、これら複数のＡＧＣアンプの各ゲインを、共通のＡＧＣ電圧により並列に制御するＡＧＣ回路を有する無線機において、
前記ＡＧＣ回路に供給するＡＧＣ電圧に対する前記ＡＧＣ回路を経た出力がリニアに関連付けられた出力テーブルと、前記ＡＧＣ回路に供給するＡＧＣ電圧の温度毎の補正値が関連付けられた温度補正テーブルとを記憶する記憶部と、
前記出力テーブルおよび前記温度補正テーブルを用いて、所要の出力に対応するＡＧＣ電圧を前記ＡＧＣ回路に供給する制御部とを有し、
前記ＡＧＣ回路は、前記制御部から供給されるＡＧＣ電圧に対する前記複数のＡＧＣアンプからの出力特性がリニアとなるように、ＡＧＣ電圧を補正するリニアリティ補正回路を有する、
ことを特徴とする無線機。
【請求項６】
前記温度補正テーブルは、ある１つの基準出力に対する前記ＡＧＣ電圧の温度毎の補正値を含むものであり、
前記制御部は、前記基準出力以外の出力に対しても、前記基準出力に対する前記ＡＧＣ電圧の温度毎の前記補正値を用いて、前記ＡＧＣ回路に供給するＡＧＣ電圧を補正することを特徴とする請求項５に記載の無線機。
【請求項７】
直列状態で配列された複数のＡＧＣアンプの各ゲインを、共通のＡＧＣ電圧により並列に制御するＡＧＣ回路の制御方法において、
前記共通のＡＧＣ電圧に対する前記複数のＡＧＣアンプからの出力特性がリニアとなるように調整し、前記共通のＡＧＣ電圧に対して、前記調整後の前記複数のＡＧＣアンプからの出力を関連付けた出力テーブルを作成するステップと、
前記作成した出力テーブルに基づいて前記複数のＡＧＣアンプの各ゲインを制御するステップと、
を有することを特徴とするＡＧＣ回路の制御方法。
【発明の詳細な説明】
【技術分野】
【０００１】
本発明は、ＡＧＣ（Auto Gain Control）回路およびこれを用いた無線機、並びにＡＧＣ回路の制御方法に関するものである。
【背景技術】
【０００２】
例えば、携帯電話端末のような無線通信を行う無線機では、一般に、送信部に中間周波数（ＩＦ）の信号を処理するＩＦ回路と、無線周波数（ＲＦ）の信号を処理するＲＦ回路とを設けるとともに、送信出力のダイナミックレンジを拡大するために、これらＩＦ回路およびＲＦ回路の各々にＡＧＣアンプを設けて、ＡＧＣアンプに印加するＡＧＣ電圧を調整することにより、ゲインを制御するようにしている（例えば、特許文献１参照）。
【０００３】
一方、無線機を製造する場合は、送信部毎にゲインのばらつきあるため、送信部を搭載した回路基板毎に、すなわち無線機毎に、送信出力のキャリブレーションを行って、無線システムの仕様に応じた各送信出力が得られるように、送信部のＡＧＣ電圧を設定するようにしている。また、無線機では、使用する温度環境によらず、常に安定した送信出力で通信を行うために、温度補正テーブルを用いて、送信部の温度特性を抑えるようにゲインを制御するようにしている（例えば、特許文献２参照）。
【０００４】
【特許文献１】特開２００２−３５３７５６号公報
【特許文献２】特開２００４−３３６３５９号公報
【発明の開示】
【発明が解決しようとする課題】
【０００５】
ところで、ＡＧＣアンプは、部品毎のゲインのばらつきが、比較的大きい。このため、上述したように、ＩＦ回路およびＲＦ回路の各々にＡＧＣアンプを設けた場合において、これらのＡＧＣアンプのゲインを、共通のデジタル・アナログコンバータ（ＤＡＣ）から得られるＡＧＣ電圧で制御する場合は、ＡＧＣ電圧に対する送信出力特性がリニアとならず、例えば、傾斜の異なる２本の直線からなる折れ線で表される送信出力特性となる場合が多い。しかも、ＡＧＣアンプのゲインには、部品毎のばらつきがあるため、送信部を搭載した回路基板毎に、送信出力のキャリブレーションを行ってＡＧＣ電圧を設定すると、同一の送信出力に対して様々なＡＧＣ電圧値が設定されることになる。
【０００６】
一方、温度補正を行う場合は、無線システムの仕様に則した送信出力ステップに対する温度補正値を用意し、対応する温度補正値を用いて補正を行うことにより、出力の安定化を図ることになる。しかし、上述したように、ＡＧＣ電圧に対する出力特性は、回路基板毎（無線機毎）にばらつきがあるため、通常は、平均の出力特性に基づいて温度補正テーブルを作成して温度補正を行うようにしている。このため、ＡＧＣ電圧範囲によっては、温度補正値がずれて、所望の送信出力が得られない場合がある。以下、この点について、図７〜図１３を参照して、さらに詳細に説明する。
【０００７】
図７は、従来のＡＧＣ回路を有する無線機における送信部の要部の構成を示す機能ブロック図である。送信部１００は、ＩＦミキサ１０１、ＡＧＣアンプ１０２、ＩＦアンプ１０３、ＲＦミキサ１０４、ＡＧＣアンプ１０５およびＲＦアンプ１０６を有する。図７において、図示しないベースバンド部から供給される入力信号INは、ＩＦミキサ１０１により、図示しないＩＦ局部発振器からのＩＦ周波数IFLOと混合されてＩＦ周波数にアップコンバートされた後、ＡＧＣアンプ１０２で増幅され、さらに、ＩＦアンプ１０３で増幅される。
【０００８】
ＩＦアンプ１０３の出力信号は、ＲＦミキサ１０４により、図示しないＲＦ局部発振器からのＲＦ周波数RFLOと混合されてＲＦ周波数にアップコンバートされた後、ＡＧＣアンプ１０５で増幅され、さらに、ＲＦアンプ１０６で所要の送信出力OUTに増幅されて、図示しないアンテナから電波として出力される。ここで、２つのＡＧＣアンプ１０２，１０５は、ＡＧＣ回路を構成し、共通のＤＡＣから得られるＡＧＣ電圧で制御されるようになっている。このように、図７に示した送信部１００は、２つのＡＧＣアンプ１０２，１０５を有してＡＧＣ回路を構成し、ＡＧＣアンプ１０２によりＩＦ信号を増幅し、ＡＧＣアンプ１０５によりＲＦ信号を増幅することにより、送信出力OUTのダイナミックレンジを拡大している。
【０００９】
図８は、図７に示した送信部１００の出力テーブルを示す図である。この出力テーブルは、送信部１００の送信出力（アンテナにおける送信電力）を、無線機の仕様により定められた値に収めるためのＡＧＣ電圧を示すもので、基準温度（常温）でのキャリブレーションによって求められて、図示しない記憶部に格納される。図８において、上下方向に二列に並んだ数値のうち、左列の数値は送信出力（ｄＢｍ）を表しており、右列の数値はＤＡＣで変換されたＡＧＣ電圧（ビット換算値）を表している。このように、出力テーブルには、基準温度における送信出力OUTとＡＧＣ電圧とが関連付けられている。
【００１０】
図９は、図８に示した出力テーブルに基づくＡＧＣ電圧に対する送信出力特性を示す図である。図７に示したように、２つのＡＧＣアンプ１０２，１０５を用いると、各ＡＧＣアンプのゲイン特性の違い（ばらつき）により、ＡＧＣ電圧に対して送信出力がリニアに変化せず、傾斜の異なる２本の直線からなる折れ線で表される送信出力特性となる場合が多い。また、送信出力特性は、低温ではゲインが増加し、高温ではゲインが減少する傾向にある。このため、一般には、使用する温度環境によらず、常に安定した信号レベルで送信を行うために、温度補正テーブルを記憶部に格納し、この温度補正テーブルを用いてＡＧＣ電圧を補正して、温度によるゲインの変化を抑えるようにしている。
【００１１】
図１０は、基準温度時（２５℃）および低温時（０℃）における送信出力特性を示す。図１０に示すように、低温時の送信出力特性は、常温時の送信出力特性に対してオフセットが加わった特性となる。例えば、ＡＧＣ電圧（VGCTL）がＡの場合は、送信出力（POWER）が基準温度ではPOWER_Xであるが、低温ではΔ１だけオフセットされる。また、ＡＧＣ電圧がＢの場合は、送信出力が基準温度ではPOWER_Yであるが、低温ではΔ２だけオフセットされる。なお、図１０において、符号３０１〜３０６は、所定の送信出力の範囲を表し、同一の出力範囲内では同一の温度補正テーブルを用いる。
【００１２】
ここで、温度補正テーブルは、各温度における常温時からのゲイン変化量を用いて作成されるが、一般には、複数の回路基板（無線機）の温度による平均的なゲイン変化量を用いて決定された共通の温度補正テーブルが使用される。したがって、従来の場合、ＡＧＣ電圧に対する送信出力特性がリニアでないため、図１０において、低温時の特性が基準温度時の特性と同じになるように、送信出力を出力範囲３０１に収めるには、オフセット値Δ１を用い、送信出力を出力範囲３０５に収めるには、オフセット値Δ２を用いることになる。
【００１３】
図１１は、従来の温度補正テーブルの一例を示す図である。図１１において、最上行で横一列に並んだ数値は、送信出力（ｄＢｍ）を示し、各行で横一列に並んだ数値は、各温度のＡＧＣ電圧の温度補正値（ｄＢ）を示す。従来の場合、例えば、３５℃がキャリブレーションを行った基準温度とすると、３５℃では所定範囲の送信出力に対する温度補正値は０．００（ｄＢ）であるので、ＡＧＣ電圧は補正しない。これに対し、０℃では、所定範囲の送信出力に対する温度補正値は３．３８（ｄＢ）であるので、基準温度時のＡＧＣ電圧を温度補正値分だけ減少させるように補正することになる。また、８０℃では、所定範囲の送信出力に対する温度補正値は−３．５０（ｄＢ）であるので、基準温度時のＡＧＣ電圧を温度補正値分だけ増加させるように補正することになる。
【００１４】
しかしながら、送信部１００を構成するＩＦミキサ１０１、ＩＦアンプ１０３、ＲＦミキサ１０４およびＲＦアンプ１０６は、ゲインのばらつきが大きいため、回路全体のゲインがばらつくことになる。このゲインのばらつきは、キャリブレーションの際に、ＡＧＣアンプ１０２，１０５のゲイン調整範囲内で吸収されることになるが、送信出力のキャリブレーションを行った際に決定される、送信出力に対するＡＧＣアンプ１０２，１０５の特性は、回路基板（無線機）毎に異なることになる。
【００１５】
図１２は、送信部１００の回路全体のゲインが図１０よりも低い場合の送信出力特性を示す。この場合は、回路全体のゲインが低いために、ＡＧＣ電圧は、図１０の場合よりも高い領域で使用されることになる。例えば、図１２では、基準温度（２５℃）で送信出力がPOWER_Xの場合、ＡＧＣ電圧はＣであるが、図１０では、同じ送信出力に対するＡＧＣ電圧はＡであり、Ａ＜Ｃである。また、図１０の場合、出力範囲３０１におけるオフセット値はΔ１であり、出力範囲３０５におけるオフセット値もΔ１である。
【００１６】
このため、図１０に示したゲイン変化量が平均的なゲイン変化量として、各出力範囲のオフセット値を決めた場合、図１２の出力特性を持つ送信部１００（無線機）においては、出力範囲３０５のオフセット値にΔ１−Δ２の誤差が生じることになる。
【００１７】
図１３は、送信部１００の回路全体のゲインが図１０よりも高い場合の送信出力特性を示す。この場合は、回路全体のゲインが高いために、ＡＧＣ電圧は、図１０の場合よりも低い領域で使用されることになる。例えば、図１３では、基準温度（２５℃）で送信出力がPOWER_Xの場合、ＡＧＣ電圧はＥであるが、図１０では、同じ送信出力に対するＡＧＣ電圧はＡであり、Ｅ＜Ａである。また、図１３の場合、出力範囲３０１におけるオフセット値はΔ２であり、出力範囲３０５におけるオフセット値もΔ２である。なお、図１３は、横軸のレンジが図１０の場合と異なっている。
【００１８】
このため、図１０に示したゲイン変化量が平均的なゲイン変化量として、各出力範囲のオフセット値を決めた場合、図１３の出力特性を持つ送信部１００（無線機）においては、出力範囲３０１のオフセット値にΔ２−Δ１の誤差が生じることになる。
【００１９】
このように、単に、送信出力に対するＡＧＣ電圧の温度補正値が並んだ温度補正テーブルを用いた場合は、回路全体のゲインの変動に起因するＡＧＣ電圧の使用領域のばらつきにより、送信出力に誤差が生じる場合がある。
【００２０】
このような問題は、ＩＦ回路あるいはＲＦ回路にのみ特性の異なる複数のＡＧＣアンプを設けて、共通のＡＧＣ電圧でゲインを制御する場合にも、同様に生じるものである。また、無線機に限らず、ゲイン特性が異なる複数のＡＧＣアンプを用いて、共通のＡＧＣ電圧でゲインを制御する場合にも、同様に生じるものである。
【００２１】
したがって、かかる点に鑑みてなされた本発明の目的は、ＡＧＣアンプのゲイン特性の温度補正による誤差を低減でき、安定した温度補正ができるＡＧＣ回路およびこれを用いた無線機、並びにＡＧＣ回路の制御方法を提供することにある。
【課題を解決するための手段】
【００２２】
上記目的を達成する請求項１に係るＡＧＣ回路の発明は、
直列状態で配列された複数のＡＧＣアンプを備え、これら複数のＡＧＣアンプの各ゲインを、共通のＡＧＣ電圧により並列に制御するＡＧＣ回路において、
前記ＡＧＣ電圧に対する前記複数のＡＧＣアンプからの出力特性がリニアとなるように、前記ＡＧＣ電圧を補正するリニアリティ補正回路を設けた、ことを特徴とするものである。
【００２３】
請求項２に係る発明は、請求項１に記載のＡＧＣ回路において、
前記リニアリティ補正回路を、前記ＡＧＣ電圧を前記複数のＡＧＣアンプに並列に供給する入力段に挿入したことを特徴とするものである。
【００２４】
請求項３に係る発明は、請求項１に記載のＡＧＣ回路において、
前記リニアリティ補正回路を、所定のＡＧＣアンプへの前記ＡＧＣ電圧の入力段に挿入したことを特徴とするものである。
【００２５】
請求項４に係る発明は、請求項１乃至３のいずれか一項に記載のＡＧＣ回路において、
前記リニアリティ補正回路は、前記ＡＧＣ電圧を補正する可変抵抗を有することを特徴とするものである。
【００２６】
さらに、上記目的を達成する請求項５に係る無線機の発明は、
直列状態で配列された複数のＡＧＣアンプを備え、これら複数のＡＧＣアンプの各ゲインを、共通のＡＧＣ電圧により並列に制御するＡＧＣ回路を有する無線機において、
前記ＡＧＣ回路に供給するＡＧＣ電圧に対する前記ＡＧＣ回路を経た出力がリニアに関連付けられた出力テーブルと、前記ＡＧＣ回路に供給するＡＧＣ電圧の温度毎の補正値が関連付けられた温度補正テーブルとを記憶する記憶部と、
前記出力テーブルおよび前記温度補正テーブルを用いて、所要の出力に対応するＡＧＣ電圧を前記ＡＧＣ回路に供給する制御部とを有し、
前記ＡＧＣ回路は、前記制御部から供給されるＡＧＣ電圧に対する前記複数のＡＧＣアンプからの出力特性がリニアとなるように、ＡＧＣ電圧を補正するリニアリティ補正回路を有する、
ことを特徴とするものである。
【００２７】
請求項６に係る発明は、請求項５に記載の無線機において、
前記温度補正テーブルは、ある１つの基準出力に対する前記ＡＧＣ電圧の温度毎の補正値を含むものであり、
前記制御部は、前記基準出力以外の出力に対しても、前記基準出力に対する前記ＡＧＣ電圧の温度毎の前記補正値を用いて、前記ＡＧＣ回路に供給するＡＧＣ電圧を補正することを特徴とするものである。
【００２８】
さらに、上記目的を達成する請求項７に係るＡＧＣ回路の制御方法の発明は、
直列状態で配列された複数のＡＧＣアンプの各ゲインを、共通のＡＧＣ電圧により並列に制御するＡＧＣ回路の制御方法において、
前記共通のＡＧＣ電圧に対する前記複数のＡＧＣアンプからの出力特性がリニアとなるように調整し、前記共通のＡＧＣ電圧に対して、前記調整後の前記複数のＡＧＣアンプからの出力を関連付けた出力テーブルを作成するステップと、
前記作成した出力テーブルに基づいて前記複数のＡＧＣアンプの各ゲインを制御するステップと、
を有することを特徴とするものである。
【発明の効果】
【００２９】
本発明によれば、直列状態で配列された複数のＡＧＣアンプの各ゲインを制御するＡＧＣ電圧を、複数のＡＧＣアンプからの出力特性がリニアとなるようにリニアリティ補正回路により補正するようにしたので、ＡＧＣアンプのゲイン特性の温度補正による誤差を低減でき、安定した温度補正を行うことができる。
【発明を実施するための最良の形態】
【００３０】
以下、本発明の実施の形態について、図を参照して説明する。
【００３１】
（第１実施の形態）
図１は、本発明の第１実施の形態に係るＡＧＣ回路を備える無線機の要部の概略構成を示す機能ブロック図である。この無線機は、例えば携帯電話端末を構成するもので、ベースバンド部１、送信部２、記憶部３、および全体を制御する制御部４を有する。送信部２は、ベースバンド部１からの入力信号INを増幅するＡＧＣ回路１１を有する。
【００３２】
記憶部３は、ＡＧＣ回路１１のＡＧＣ電圧に対する送信部２の送信出力OUTを示す出力テーブルと、その温度補正値を示す温度補正テーブルとを格納する。制御部４は、送信部２のＡＧＣ回路１１に供給するＡＧＣ電圧VGCTLを生成するＤＡＣを有し、所望の送信出力OUTおよび温度情報に基づいて、記憶部３に記憶されている出力テーブルおよび温度補正テーブルから、対応するＡＧＣ電圧の設定値およびその温度補正値を読み出して、温度補正したＡＧＣ電圧VGCTLをＤＡＣで生成して、送信部２のＡＧＣ回路１１に供給する。なお、温度情報は、図示しない温度センサにより、送信部２の温度（例えば、ＡＧＣ回路１１を構成するＡＧＣアンプの近傍の温度）を検出して制御部４に供給する。
【００３３】
図２は、図１に示した送信部２の具体的構成を示す機能ブロック図である。送信部２は、上述したＡＧＣ回路１１の他に、ＩＦミキサ１５、ＩＦアンプ１６、ＲＦミキサ１７およびＲＦアンプ１８を有する。ＡＧＣ回路１１は、出力特性の異なる２個のＡＧＣアンプ１２，１３と、これらＡＧＣアンプ１２，１３に供給するＡＧＣ電圧VGCTLに対して送信部２の送信出力OUTがリニアに変化するように、ＡＧＣ電圧VGCTLを補正するリニアリティ補正回路１４と、を有する。
【００３４】
この送信部２は、ベースバンド部１から供給される入力信号INを、図７に示した送信部１００と同様に、ＩＦミキサ１５により、図示しないＩＦ局部発振器からのＩＦ周波数IFLOと混合してＩＦ周波数にアップコンバートした後、ＡＧＣアンプ１２で増幅し、さらに、ＩＦアンプ１６で増幅する。ＩＦアンプ１６の出力信号は、ＲＦミキサ１７により、図示しないＲＦ局部発振器からのＲＦ周波数RFLOと混合されてＲＦ周波数にアップコンバートされた後、ＡＧＣアンプ１３で増幅され、さらに、ＲＦアンプ１８で所要の送信出力OUTに増幅されて、図示しないアンテナから電波として出力される。ＡＧＣアンプ１２，１３には、制御部４から出力されるＡＧＣ電圧VGCTLを、リニアリティ補正回路１４を経て供給して、それぞれのゲインを制御する。したがって、本実施の形態では、ＡＧＣアンプ１２，１３の双方とも、リニアリティ補正回路１４により補正されたＡＧＣ電圧でゲインが制御されることになる。
【００３５】
このように、図２に示した送信部１では、直列状態で配列されるＡＧＣアンプ１２，１３を用い、前段のＡＧＣアンプ１２によりＩＦ信号を増幅し、後段のＡＧＣアンプ１３によりＲＦ信号を増幅することで、送信出力OUTのダイナミックレンジを拡大している。
【００３６】
図１に示した無線機では、送信出力のキャリブレーション時において、制御部４から出力されるＡＧＣ電圧VGCTLに対して送信部２の送信出力OUTが、図３に示すようにリニアに変化するようにリニアリティ補正回路１４を調整し、これにより出力テーブルを作成して記憶部３に格納する。また、記憶部３には、複数の回路基板（無線機）の温度による平均的なゲイン変化量を用いて決定された共通の温度補正テーブルを格納する。その後、実際の制御においては、上述したように、所望の送信出力OUTおよび温度情報に基づいて、記憶部３に記憶されている出力テーブルおよび温度補正テーブルから、対応するＡＧＣ電圧の設定値およびその温度補正値を読み出して、温度補正したＡＧＣ電圧VGCTLをＤＡＣで生成して、送信部２のＡＧＣ回路１１に供給する。
【００３７】
図４は、図２に示したリニアリティ補正回路１４の一例の構成を示す回路図である。このリニアリティ補正回路１４は、オペアンプを用いた反転増幅回路を備える公知の折れ線回路からなるもので、入力段の反転増幅回路２１と、出力段の反転増幅回路２２と、これら入力段および出力段の間に接続した折れ線調整用の反転増幅回路２３とを有する。折れ線調整用の反転増幅回路２３は、折れ線となる変化点（レベル）を調整する可変抵抗器２４と、折れ線となる直線の傾きを調整する可変抵抗器２５とを有し、これら可変抵抗器２４，２５を、送信出力のキャリブレーション時において適切に調整することにより、例えば、図９に示したようなＡＧＣ電圧に対して傾斜の異なる２本の直線からなる折れ線で表される送信出力特性を、図３に示したような連続する１本の直線で表されるリニアな送信出力特性となるように設定する。すなわち、本実施の形態では、折れ線回路を、傾斜の異なる２本の直線からなる折れ線を、連続する１本の直線に変換する回路として作用させている。
【００３８】
このように、本実施の形態に係る無線機では、送信部２のＡＧＣ回路１１に、ＡＧＣアンプ１２，１３に印加するＡＧＣ電圧を補正するリニアリティ補正回路１４を設けたので、記憶部３に格納する出力テーブルのＡＧＣ電圧に対する送信出力特性をリニアにすることができる。したがって、無線機毎に送信出力特性にばらつきがあり、使用するＡＧＣ電圧範囲が異なった場合でも、ＡＧＣ電圧に対する送信出力特性の傾きは全領域で同じ値となるので、温度による平均的なゲイン変化量を用いて決定された共通の温度補正テーブルを用いれば、温度オフセット値を同じにできる。これにより、送信出力特性のばらつきに起因して、使用するＡＧＣ電圧領域が無線機毎に異なっていても、各無線機において常に安定した温度補正を行うことができる。
【００３９】
（第２実施の形態）
図５は、本発明の第２実施の形態に係るＡＧＣ回路を備える無線機の送信部の具体的構成を示す機能ブロック図である。本実施の形態に係る送信部５１は、図２に示した構成において、リニアリティ補正回路１４を、ＡＧＣアンプ１２とＡＧＣアンプ１３との間のＡＧＣ電圧ラインに挿入して、後段のＡＧＣアンプ１３のゲインを補正されたＡＧＣ電圧で制御するようにしたもので、その他の構成は第１実施の形態と同様である。したがって、図２に示した回路素子と同様の作用をなす回路素子には、同一参照符号を付して説明を省略する。
【００４０】
ここで、リニアリティ補正回路１４は、例えば、図６に示すように、それぞれオペアンプを用いて構成した２段の反転増幅回路５２，５３を有して構成する。反転増幅回路５２，５３は、それぞれの帰還抵抗５２Ｒ，５３Ｒを可変とし、これら可変の帰還抵抗５２Ｒ，５３Ｒを、第１実施の形態の場合と同様に、送信出力のキャリブレーション時において適切に調整することにより、例えば、図９に示したようなＡＧＣ電圧に対して折れ線で表される送信出力特性を、図３に示したようなリニアな送信出力特性となるように設定する。
【００４１】
したがって、本実施の形態においても、第１実施の形態の場合と同様の効果を得ることができる。また、本実施の形態の場合は、図４および図６の比較から明らかなように、リニアリティ補正回路１４を、第１実施の形態の場合よりも簡単に構成できる利点がある。
【００４２】
なお、本発明は、上記実施の形態にのみ限定されるものではなく、幾多の変形または変更が可能である。例えば、上記実施の形態では、ＩＦ回路およびＲＦ回路の各々にＡＧＣアンプを設けたが、ＩＦ回路あるいはＲＦ回路にのみ特性の異なる複数のＡＧＣアンプを設けて、共通のＡＧＣ電圧でゲインを制御する場合にも、本発明を有効に適用することができる。また、本発明に係るＡＧＣ回路は、無線機の送信部に限らず、無線機の受信部にも適用することができるとともに、無線機に限らず、種々の増幅回路に適用することができる。
【００４３】
（温度補正テーブルの変形例）
上記実施の形態においては、各温度に基づきＡＧＣ電圧の補正を行う場合に、図１１に示す従来の温度補正テーブルのように、各送信出力（横軸）に対してある一定間隔（例えば5℃間隔）の温度（縦軸）のＡＧＣ電圧の温度補正値を記載したテーブルを用いているが、当該間隔は一定間隔に限られるものではなく、例えば、予め想定される使用環境に応じて、特に高い補正精度が求められる温度領域に対して、より詳細な粒度の補正値を含むようにすることができる。また、テーブルに記載されていない温度に対する補正値は、テーブルに記載された温度を基にした線形補間値によって算出することも可能である。これにより、使用環境に合わせて補正精度を向上させたり、少ない情報量の温度補正テーブルであっても幅広い温度に対して温度補正を行うことを可能にすることができる。
【００４４】
また、上記実施の形態においては、各温度に基づきＡＧＣ電圧の補正を行う場合に、図１１に示す従来の温度補正テーブルのように、各送信出力（横軸）に対して各温度（縦軸）のＡＧＣ電圧の温度補正値を記載したテーブルを用いていた。しかし、当該温度補正テーブルを、ある一つの基準送信出力（例えば−２３ｄＢｍ）に対する各温度のＡＧＣ電圧の補正値を記載したものとすることもできる。例えば、第1実施の形態に係る無線機では、送信部２のＡＧＣ回路１１に、ＡＧＣアンプ１２，１３に印加するＡＧＣ電圧を補正するリニアリティ補正回路１４を設けることにより、記憶部３に格納する出力テーブルのＡＧＣ電圧に対する送信出力特性をリニアにすることができる。したがって、ＡＧＣ電圧に対する送信出力特性の傾きは全領域で同じ値となるので、例えば、図１４に示すような、ある一つの基準送信出力（例えば−２３ｄＢｍ）におけるＡＧＣ電圧のオフセット値を予め複数無線機の平均の出力特性に基づいて算出し、温度補正テーブルとして記憶部３に格納しておけば、当該温度補正テーブルを、他の送信出力に対する共通の温度オフセット値として利用することができる。これにより、少ない情報量の温度補正テーブルであっても幅広い送信出力に対する温度補正が可能になり、各無線機におけるメモリ消費量を低減させることができる。
【００４５】
また、上記実施の形態においては、温度に基づきＡＧＣ電圧の補正を行う場合に、複数無線機の平均の出力特性に基づく温度補正テーブルを用いているが、当該温度補正テーブルを各無線機の個別の出力特性に基づくものとすることもできる。例えば、第1実施の形態に係る無線機では、送信部２のＡＧＣ回路１１に、ＡＧＣアンプ１２，１３に印加するＡＧＣ電圧を補正するリニアリティ補正回路１４を設けることにより、記憶部３に格納する出力テーブルのＡＧＣ電圧に対する送信出力特性をリニアにすることができる。したがって、ＡＧＣ電圧に対する送信出力特性の傾きは全領域で同じ値となるので、例えば、図１４に示すような、ある一つの基準送信出力（例えば−２３ｄＢｍ）におけるＡＧＣ電圧のオフセット値を予め無線機毎に測定した温度補正テーブルを作成して、記憶部３に格納しておけば、当該温度補正テーブルを、他の送信出力に対する共通の温度オフセット値として利用することができる。これにより、無線機の個体差を考慮した温度補正が可能になり、各無線機においてより正確な温度補正を行うことができる。
【００４６】
（キャリブレーション処理の変形例）
また、本発明による無線機のリニアリティ補正回路１４によって、キャリブレーション処理を簡略化することも可能である。実際の回路基板の量産工程において、送信出力のキャリブレーションは、非常に時間のかかる調整工程になるために、出力テーブルの全ポイントで調整を行わず、主要なポイントのみで調整を行い、残りのポイントは調整したポイントを基準にして線形補間した計算値を代用することが多い。従って、AGC電圧のリニアリティがとれていない場合、非線形な領域を線形補間した時に、補間値と実際の送信出力の間にずれが生じる場合がある。そこで、例えば、第1実施の形態に係る無線機では、送信部２のＡＧＣ回路１１に、ＡＧＣアンプ１２，１３に印加するＡＧＣ電圧を補正するリニアリティ補正回路１４を設けることにより、記憶部３に格納する出力テーブルのＡＧＣ電圧に対する送信出力特性をリニアにすることができる。したがって、ＡＧＣ電圧に対する送信出力特性の傾きは全領域で同じ値となるので、主要なポイントに基づき線形補間された値と、実際のキャリブレーション値とが非常に近い値となり、簡略なキャリブレーション処理によって、送信出力の調整を高精度に行うことができる。
【００４７】
当該簡略なキャリブレーション処理は、例えば、複数無線機の送信出力キャリブレーションに用いることもできる。通常は、同一の構成からなる無線機においても、送信部毎にゲインのばらつきあるため、送信部を搭載した回路基板毎に、すなわち無線機毎に、送信出力のキャリブレーションを行って、無線システムの仕様に応じた各送信出力が得られるように、送信部のＡＧＣ電圧を設定するようにしている。しかし、例えば、同一の構成からなる複数の無線機のうち、１つの無線機の出力特性を、本発明に係るリニアリティ補正回路によって線形化し、他の無線機の出力特性については、当該リニアリティ補正回路を流用することによって、簡略なキャリブレーションによって線形化することも可能である。同一構成の無線機に対するリニアリティ補正回路を流用することにより、他の無線機の出力特性についても略線形化されるため、主要なポイントに基づき線形補間された値と、実際のキャリブレーション値とが非常に近い値となり、簡略なキャリブレーション処理によって、送信出力の調整を高精度に行うことができる。
【図面の簡単な説明】
【００４８】
【図１】本発明の第１実施の形態に係るＡＧＣ回路を備える無線機の要部の概略構成を示す機能ブロック図である。
【図２】図１に示した送信部の具体的構成を示す機能ブロック図である。
【図３】図２に示した送信部におけるＡＧＣ電圧に対する送信出力特性を示す図である。
【図４】図２に示したリニアリティ補正回路の一例の構成を示す回路図である。
【図５】本発明の第２実施の形態に係るＡＧＣ回路を備える無線機の送信部の具体的構成を示す機能ブロック図である。
【図６】図５に示したリニアリティ補正回路の一例の構成を示す回路図である。
【図７】従来のＡＧＣ回路を有する無線機における送信部の要部の構成を示す機能ブロック図である。
【図８】図７に示した送信部の出力テーブルを示す図である。
【図９】図８に示した出力テーブルに基づくＡＧＣ電圧に対する送信出力特性を示す図である。
【図１０】図９に示した送信出力特性に基づく基準温度時および低温時における送信出力特性を示す。
【図１１】従来の温度補正テーブルの一例を示す図である。
【図１２】図７に示した送信部の回路全体のゲインが図１０よりも低い場合の送信出力特性を示す。
【図１３】図７に示した送信部の回路全体のゲインが図１０よりも高い場合の送信出力特性を示す。
【図１４】ある基準電圧に対する温度補正テーブルの一例を示す図である。
【符号の説明】
【００４９】
１  ベースバンド部
２  送信部
３  記憶部
４  制御部
１１  ＡＧＣ回路
１２，１３  ＡＧＣアンプ
１４  リニアリティ補正回路
１５  ＩＦミキサ
１６  ＩＦアンプ
１７  ＲＦミキサ
１８  ＲＦアンプ
２１，２２，２３  反転増幅回路
２４，２５  可変抵抗器
５１  送信部
５２，５３  反転増幅回路
５２Ｒ，５３Ｒ  帰還抵抗
【図１】
2010081568.tif 000003
【図２】
2010081568.tif 000004
【図３】
2010081568.tif 000005
【図４】
2010081568.tif 000006
【図５】
2010081568.tif 000007
【図６】
2010081568.tif 000008
【図７】
2010081568.tif 000009
【図８】
2010081568.tif 000010
【図９】
2010081568.tif 000011
【図１０】
2010081568.tif 000012
【図１１】
2010081568.tif 000013
【図１２】
2010081568.tif 000014
【図１３】
2010081568.tif 000015
【図１４】
2010081568.tif 000016